(57)【要約】  本発明は、枠（１ａ、１ｂ）と、軸受および前記軸受内に挿入された枢軸を含む少なくとも１つの枢動部材（５ａ、５ｂ）を用いて、前記枠（１ａ、１ｂ）上に枢動可能に取り付けられた歯車とを含む時計に関し、少なくとも、軸受および枢軸の接触面は、本質的に低い摩擦係数および低い摩耗率を有する少なくとも１つの材料から作られ、歯車は、第１の穴（３ａ、３ｂ）を設けられた少なくとも１つの平板（２ａ、２ｂ）を備える。前記枢動部材は、第２の穴（８ａ、８ｂ）を設けられかつ軸受を形成する第１の平板（６ａ、６ｂ）と、前記第１の穴および前記第２の穴の中に挿入された小桿（９ａ、９ｂ）を設けられかつ前記枢軸を形成する第２の平板（７ａ、７ｂ）とを含み、前記第１の平板（６ａ、６ｂ）および前記第２の平板（７ａ、７ｂ）のうち１つは、歯車および枠（１ａ、１ｂ）の他方に堅く接続される。【選択図】図１
2012514191.tif 000002
【特許請求の範囲】
【請求項１】
枠（１ａ、１ｂ）と、軸受および前記軸受内に係合された枢軸を備える少なくとも１つの枢動部材（５ａ、５ｂ）を用いて、前記枠（１ａ、１ｂ）上に枢動可能に取り付けられた転輪とを備え、前記転輪が、第１の穴（３ａ、３ｂ）を設けられた少なくとも１つの台板（２ａ、２ｂ）を有する、時計であって、少なくとも、前記軸受および前記枢軸の接触面が、ダイヤモンドの摩擦係数および摩耗率と同等のものを本質的に有する少なくとも１つの材料から作られることと、前記枢動部材が、第２の穴（８ａ、８ｂ；３ａ、３ｂ）を設けられかつ前記軸受を形成する第１の平板（６ａ、６ｂ；２ａ、２ｂ）と、前記第１の穴および前記第２の穴の中に係合された枢軸柄（９ａ、９ｂ；１７ａ、１７ｂ；２６ａ、２６ｂ；４１ａ、４１ｂ）を設けられかつ前記枢軸を形成する第２の平板（７ａ、７ｂ；１６ａ、１６ｂ；２５ａ、２５ｂ；４０ａ、４０ｂ）とを備え、前記第１の平板（６ａ、６ｂ；２ａ、２ｂ）および第２の平板（７ａ、７ｂ；１６ａ、１６ｂ；２５ａ、２５ｂ；４０ａ、４０ｂ）が、一方が前記転輪と、他方が前記枠（１ａ、１ｂ）と一体にされることとを特徴とする、時計。
【請求項２】
前記枢軸を形成する前記第２の平板（７ａ、７ｂ；１６ａ、１６ｂ；２５ａ、２５ｂ）が、前記枢軸柄（９ａ、９ｂ；１７ａ、１７ｂ；２６ａ、２６ｂ）を形成する、それから円筒形要素が突出する平面要素を備え、前記２つの要素が単一部品内にあることを特徴とする、請求項１に記載の時計。
【請求項３】
前記枢軸を形成する前記第２の平板（４０ａ、４０ｂ）が、前記枢軸柄（４１ａ、４１ｂ）を形成する平面要素および円筒形要素を備え、前記２つの要素が離れていることを特徴とする、請求項１に記載の時計。
【請求項４】
前記第２の平板（２５ａ、２５ｂ；４０ａ、４０ｂ）が、前記枢軸柄（２６ａ、２６ｂ；４１ａ、４１ｂ）に対向する側上に、前記第２の平板（２５ａ、２５ｂ；４０ａ、４０ｂ）および前記枠（１ａ、１ｂ）と一体にされる柄（２８；３５ａ、３５ｂ）を備えることを特徴とする、先行する請求項の何れか一項に記載の時計。
【請求項５】
前記心棒（２８；３５ａ、３５ｂ）が、前記第２の平板（２５ａ、２５ｂ；４０ａ、４０ｂ）を介しておよび前記枢軸柄（２６ａ、２６ｂ；４１ａ、４１ｂ）内を通過して取り付けられることを特徴とする、請求項４に記載の時計。
【請求項６】
前記第１の穴（３ａ、３ｂ）を設けられた前記台板（２ａ、２ｂ）と、前記第２の穴（８ａ、８ｂ；３ａ、３ｂ）を設けられた前記第１の平板（６ａ、６ｂ；２ａ、２ｂ）とが合併され、前記第１の穴および前記第２の穴が合併されることを特徴とする、先行する請求項の何れか一項に記載の時計。
【請求項７】
前記転輪が、第１の穴（３ａ、３ｂ）を設けられかつ回転して一体にされる２つの台板（２ａ、２ｂ）を含み、各台板が、それぞれ、前記枢動部材を用いて前記枠内に枢動可能に取り付けられることを特徴とする、先行する請求項の何れか一項に記載の時計。
【請求項８】
前記台板（２ａ、２ｂ）が、それらの第１のそれぞれの穴（３ａ、３ｂ）の周りに、金属環（２１ａ、２１ｂ；３７ａ、３７ｂ）を備えることを特徴とする、請求項７に記載の時計。
【請求項９】
前記台板が、協働しかつ前記台板（２ａ、２ｂ）を回転して一体にするように配列された、相補的な組立手段（１２ａ、１２ｂ；３０、３１）をそれぞれ備えることを特徴とする、請求項７に記載の時計。
【請求項１０】
心棒（２８）が、前記第２の平板（２５ａ、２５ｂ；４０ａ、４０ｂ）を介して、および、前記転輪の各台板（２ａ、２ｂ）の前記枢動部材の前記枢軸柄（２６ａ、２６ｂ；４１ａ、４１ｂ）内を通過して取り付けられることを特徴とする、請求項５および７に記載の時計。
【請求項１１】
低い摩擦係数および低い摩耗率を本質的に有し、少なくとも前記軸受および前記枢軸の前記接触面を構成する材料がダイヤモンドであることを特徴とする、先行する請求項の何れか一項に記載の時計。
【発明の詳細な説明】
【技術分野】
【０００１】
技術分野
本発明は、枠と、軸受および前記軸受内に係合された枢軸を備える少なくとも１つの枢動部材を用いて、前記枠上に枢動可能に取り付けられた転輪とを備える時計に関し、軸受および枢軸は、低い摩擦係数および低い摩耗率を本質的に有する少なくとも１つの材料から作られた、少なくともそれらの接触面を有し、転輪は、第１の穴を設けられた少なくとも１つの台板を含む。「転輪」という用語は、広範に理解されるべきである。枢動部材を、例えば、脱進機の歯止め等の、時計の他の可動式部品に適用することもできるだろう。
【背景技術】
【０００２】
発明の背景
一般的に、枠上に枢動可能に取り付けられた転輪は、それぞれ軸受内に係合された枢軸を有する両端に設けられた主軸を含む。軸受および枢軸により形成された枢動部材は、伝統的に、時計仕掛けの運動において存在する回転部品の軸方向および半径方向の位置付けを確実にするために用いられる。
【０００３】
枢軸は一般的に鋼から作られ、軸受は、例えば、真鍮、青銅、またはルビーで作られ、材料の組は、軸受と枢軸との間の摩擦トルクが可能な限り低くかつ一定であるように選択される。
【０００４】
しかしながら、これらの材料の組から作られた枢動部材は、得られる摩擦トルクおよび摩耗の値に関して必ずしも完全に申し分ないとは限らない。それらは、軸受と枢軸との間に挿入され、時間と共に劣化する傾向がある潤滑剤の付加を必要とする。
【０００５】
例えば、文献ＵＳ  ５，５１５，６０７（米国特許第５，５１５，６０７号公報）、文献ＪＰ  ０９  ２１１１４９（特開平９−２１１１４９号公報）、および文献ＤＥ  ７０  ００  ６１６（ドイツ国実用新案第７０  ００  ６１６号公報）に記載されている他の方法によれば、枢軸を有する単一部品を形成して転輪を作ることが可能である。統合した枢軸を備えるこのような転輪は、本発明の主要部でない。
【０００６】
本発明の１つの目標は、時計内で、その接触面が低い摩擦係数および低い摩耗率を本質的に有する、すなわち、このような潤滑剤の付加を必要としない材料から作られる枢動部材を用いることができることである。これは、特に、その接触面が、ダイヤモンド、摩擦係数が０．０１未満である、別の材料または複数の材料の混合物から作られる軸受および枢軸に当てはまる。残念ながら、このような部品は、規則的な機械加工技術を用いて製造することが極めて困難である。それらを、例えば、特許ＥＰ  １  ６２２  ８２６（欧州特許第１  ６２２  ８２６号）に記載されている方法により得ることができる。
【０００７】
特に、伝統的な方法を用いて転輪の主軸と同じくらい複雑な部品を製造することは極めて困難である。例えば、鋲接によりダイヤモンドの部品を切断するかまたは組み立てることは極めて困難である。
【０００８】
本発明の別の目標は、非常に低い摩擦係数および低い摩耗率を本質的に有する、すなわち、潤滑剤の付加を必要としない材料から作られた要素を、容易に組み立てることができる時計を提案することである。
【発明の概要】
【０００９】
発明の簡単な記載
そのために、および本発明によれば、枠と、軸受および前記軸受内に係合された枢軸を備える少なくとも１つの枢動部材を用いて、前記枠上に枢動可能に取り付けられた転輪とを備える時計が提案され、軸受および枢軸は、低い摩擦係数および低い摩耗率を本質的に有する、すなわち、潤滑剤の付加を必要としない少なくとも１つの材料から作られた、少なくともそれらの接触面を有し、転輪は、第１の穴を設けられた少なくとも１つの台板を有する。本発明によれば、前記枢動部材は、第２の穴を設けられかつ軸受を形成する第１の平板と、前記第１の穴および前記第２の穴の中に係合された枢軸柄を設けられかつ枢軸を形成する第２の平板とを備え、前記第１の平板および第２の平板は、一方が転輪と、他方が枠と一体にされる。
【００１０】
代替的な実施形態によれば、枢軸を形成する第２の平板は、それから枢軸柄を形成する円筒形要素が突出する平面要素を備えることができ、２つの要素は単一部品内で作られ、あるいは、平面要素および円筒形要素は枢動柄を別個に形成する。
【００１１】
代替物によれば、第２の平板は、枢軸柄に対向する側上に、第２の平板および枠と一体にされた心棒を備えることができる。前記第２の平板を介しておよび前記枢軸柄内を通過して、前記心棒を取り付けることができる。
【００１２】
代替物によれば、第１の穴を設けられた台板と、第２の穴を設けられた第１の平板とを合併することができ、前記第１の穴および前記第２の穴がその後合併される。しかしながら、枢軸を形成する枢軸柄を設けられた第２の平板に関して、前記第２の平板は、枢軸が決して転輪に統合されないように、第１の穴を設けられた前記転輪の台板から常に離れている。
【００１３】
代替物によれば、転輪は、第１の穴を設けられかつ回転して一体にされる２つの台板を含むことができ、各台板は、それぞれ、前記枢動部材を用いて枠内に枢動可能に取り付けられる。回転して一体にされるために、前記台板は、それらの第１のそれぞれの穴の周りに、金属環を備えることができる。別の実施形態では、前記台板は、ツマミ等の、共に協働しかつ前記台板を回転して一体にするように配列された、相補的な組立手段をそれぞれ備えることができる。
【００１４】
転輪が２つの台板を有する代替物では、枢動部材の第２の平板上に設けられた心棒を、第２の平板を介して、および、転輪の各台板の枢動部材の枢軸柄内を通過して取り付けることができる。
【００１５】
好ましくは、低い摩擦係数および低い摩耗率を本質的に有し、少なくとも軸受および枢軸の接触面を構成する材料は、ダイヤモンドである。
【００１６】
図面の簡単な記載
本発明の他の特徴は、以下の説明を読む際により明確に表れるものであり、添付の図面を参照して行われる。
【図面の簡単な説明】
【００１７】
【図１】それぞれ、本発明の第１の代替物の横断面図、および転輪の斜視図である。
【図２】それぞれ、本発明の第１の代替物の横断面図、および転輪の斜視図である。
【図３】本発明の別の代替物の横断面図である。
【図４】本発明の別の代替物の横断面図である。
【図５】図４の代替物による、枢軸および心棒を形成する平板を示す詳細な横断面図である。
【図６】図４の代替物において用いられる転輪の斜視図である。
【図７】図４の代替物において用いられる枢軸を形成する平板の斜視図である。
【図８】本発明の別の代替物の横断面図である。
【図９】図８の代替物において用いられる心棒の斜視図である。
【図１０】本発明の別の代替物の横断面図である。
【発明を実施するための形態】
【００１８】
発明の詳細な記載
本記載において、低い摩擦係数および低い摩耗率を本質的に有する材料は、外部の潤滑剤の助けなしに、それ自体の潤滑を確実にする任意の材料である。好ましくは、この摩擦係数は０．１以下である。さらに、このような材料は、非常に低い摩耗率を有するのに足るほど硬いはずである。好ましくは、前記材料はモース尺度で９以上の硬度を有する。好ましくは、前記材料はダイヤモンドである。ダイヤモンドの摩擦係数および摩耗率と同等のものを有する、任意の他の材料を用いることができる。同様に、ダイヤモンドのみの摩擦係数および摩耗率と同等のものを有する、別の材料または複数の材料の任意の他の混合物とともに、ダイヤモンドを用いることが可能である。
【００１９】
本記載において、少なくとも、時計の異なる要素の間にある接触面は、枠を除いて、低い摩擦係数および低い摩耗率を本質的に有する少なくとも１つの材料から作られる。要素を、全体的に、低い摩擦係数および低い摩耗率を本質的に有する材料から作ることもできる。枠またはその表面のみを、低い摩擦係数および低い摩耗率を本質的に有する少なくとも１つの材料、または任意の他の材料から作ることができる。
【００２０】
図１および２は、橋１ａおよび底部平板１ｂにより形成された金属枠、および、待歯および穴３ａを設けられた第１の台板２ａと、待歯および穴３ｂを設けられた第２の台板２ｂとを有する転輪を備える時計の第１の代替物を示す。台板２ａ、２ｂは、例えばＣＶＤにより、ダイヤモンドから作られる
【００２１】
転輪は、各々が軸受およびそれらのそれぞれの軸受内に係合された枢軸をそれぞれ備える２つの枢動部材５ａおよび５ｂを用いて、橋１ａおよび底部平板１ｂ上の軸ＡＡの周りに枢動可能に取り付けられる。
【００２２】
本発明によれば、各軸受は、穴８ａ、８ｂを設けられた第１の平板６ａ、６ｂにより形成され、ダイヤモンドから作られ、橋１ａおよび底部平板１ｂ上に設けられた対応する切り出し部内での打ち込みまたは接着により、橋１ａおよび底部平板１ｂとそれぞれ一体にされる。平板６ａ、６ｂは、それらの穴８ａ、８ｂが台板２ａ、２ｂの穴３ａ、３ｂに対向して配置されるように配列される。
【００２３】
当然ながら、橋または底部平板をダイヤモンドから作り、第２の平板の枢軸柄を受容するための穴を備え、枢軸を形成することが可能であり、第１の平板は穴を設けられかつ軸受けを形成し、これはその後前記枠の一体部分である。
【００２４】
各枢軸は、それから円筒形要素が突出する平面要素を備える第２の平板７ａ、７ｂを用いて形成され、平面要素に対して垂直であり、それに寄せて台板２ａ、２ｂが軸方向にそれぞれ位置付けられる環状の周縁１０ａ、１０ｂがあるように枢軸柄９ａ、９ｂを形成し、２つの台板２ａおよび２ｂの間に平板７ａ、７ｂを保持することを可能にし、第２の平板７ａ、７ｂをそれぞれ台板２ａ、２ｂと一体にする。平板７ａ、７ｂはダイヤモンドから作られる。
【００２５】
本発明によれば、枢軸柄９ａ、９ｂは、それぞれ、台板２ａ、２ｂの穴３ａ、３ｂ内、および、第１の平板６ａ、６ｂの穴８ａ、８ｂ内に係合される。そのために、枢軸柄９ａ、９ｂの直径は、平板６ａ、６ｂの穴８ａ、８ｂの、および、台板２ａ、２ｂの穴３ａ、３ｂのものよりもそれぞれ小さい。
【００２６】
台板２ａおよび２ｂは、それぞれ、前記台板から突出する２つの角度扇形の形態にある２つのツマミ１２ａ、１２ｂを備える。２つのツマミ１２ａ、１２ｂは、それぞれ、穴３ａ、３ｂに対してそれぞれ同心円状に互いに対向して配列される。ツマミ１２ａ、１２ｂは、対になって協働しかつ台板２ａおよび２ｂを回転して一体にするように、相補的に配列される。２つの縁１０ａおよび１０ｂの累積厚さは、揺れることなく平板７ａおよび７ｂの保持を確実にするように、ツマミ１２ａまたは１２ｂの高さと実質的に等しい。
【００２７】
図３は、本発明の別の代替的な実施形態を示す。第１の代替物と共有される要素は、同じ参照記号で示される。本時計は、橋１ａおよび底部平板１ｂにより形成された金属枠、および、待歯および穴３ａを設けられた第１の台板２ａと、待歯および穴３ｂを設けられた第２の台板２ｂとを有する転輪を備える。この代替物では、各穴３ａ、３ｂは、裾１４ａ、１４ｂによりそれぞれ縁取られ、橋１ａおよび底部平板１ｂに向かってそれぞれ突出する。台板２ａ、２ｂおよびそれらの継ぎ輪１４ａ、１４ｂは、例えばＣＶＤにより、ダイヤモンドから作られる。
【００２８】
転輪は、各々が軸受およびそれらのそれぞれの軸受内に係合された枢軸をそれぞれ備える２つの枢動部材を用いて、橋１ａおよび底部平板１ｂ上に枢動可能に取り付けられる。
【００２９】
この代替物では、第１の枢動部材の軸受けを形成する穴を設けられた平板は、穴３ａおよび継ぎ輪１４ａを設けられた台板２ａと合併され、前記平板はその後転輪と一体である。同様に、他方の枢動部材の軸受けを形成する穴を設けられた平板は、穴３ｂおよび継ぎ輪１４ｂを設けられた台板２ｂと合併される。
【００３０】
各枢軸は、それから円筒形要素が突出する平面要素を備える少なくとも１つの第２の平板１６ａ、１６ｂにより形成され、平面要素に対して垂直であり、枢軸柄１７ａ、１７ｂを形成する。本発明の他の代替物の全てに関して、第２の平板は、枢軸が転輪から離れた部品の一部であるように、転輪の台板と決して合併されない。橋１ａおよび底部平板１ｂは、それぞれ、その中に平板１６ａ、１６ｂの平面要素が収容される筐体１８ａ、１８ｂと、その中で台板２ａ、２ｂの継ぎ輪１４ａ、１４ｂがそれぞれ循環する環状の周縁２０ａ、２０ｂがあるように、枢軸柄１７ａ、１７ｂの通路のためのより小さい寸法を有する切り出し部１９ａ、１９ｂとを含む。平板１６ａ、１６ｂはダイヤモンドから作られ、打ち込みまたは接着により橋１ａおよび底部平板１ｂと一体にされる。
【００３１】
本発明によれば、枢軸柄１７ａ、１７ｂは、継ぎ輪１４ａ、１４ｂが環状の周縁２０ａ、２０ｂ内に係合されるように、台板２ａ、２ｂの穴３ａ、３ｂ内にそれぞれ係合される。そのために、枢軸柄１７ａ、１７ｂの直径は、台板２ａ、２ｂの穴３ａ、３ｂのものよりもそれぞれ小さい。
【００３２】
台板２ａ、２ｂは、それぞれ、穴３ａ、３ｂの周辺上に設けられた金属環２１ａ、２１ｂを用いて回転して一体にされ、互いにレーザにより溶接される。
【００３３】
図４から７までは、本発明の別の代替的な実施形態を示す。第１の代替物と共有される要素は、同じ参照記号で示される。本時計は、橋１ａおよび底部平板１ｂにより形成された金属枠、および、待歯および穴３ａを設けられた第１の台板２ａと、待歯および穴３ｂを設けられた第２の台板２ｂとを含む転輪を備える。台板２ａ、２ｂは、例えばＣＶＤにより、ダイヤモンドから作られる。
【００３４】
転輪は、各々が軸受およびそれらのそれぞれの軸受内に係合された枢軸をそれぞれ備える２つの枢動部材を用いて、橋１ａおよび底部平板１ｂ上に枢動可能に取り付けられる。
【００３５】
この代替物では、第１の枢動部材の軸受けを形成する穴を設けられた平板は、穴３ａを設けられた台板２ａと合併され、前記平板はその後転輪と一体である。同様に、他方の枢動部材の軸受けを形成する穴を設けられた平板は、穴３ｂを設けられた台板２ｂと合併される。
【００３６】
各枢軸は、それから円筒形要素が突出する平面要素を備える第２の平板２５ａ、２５ｂを用いて形成され、平面要素に対して垂直であり、環状の周縁２７ａ、２７ｂが存在し、その中で台板２ａ、２ｂがそれぞれ循環するように、枢軸柄２６ａ、２６ｂを形成する。
【００３７】
さらに、この代替物では、心棒２８は、第２の平板２５ａと２５ｂおよび枢軸柄２６ａと２６ｂを通過して設けられ取り付けられ、心棒２８は、橋１ａおよび底部平板１ｂ上にそれぞれ設けられた、対応する筐体内に収容されることになる枢軸柄２６ａ、２６ｂに対向する側上にある、各平板２５ａ、２５ｂから現れる。桿２８は、底部平板１ｂ内のその端の一方の打ち込みまたは接着により底部平板１ｂと一体にされ、心棒２８の他端は橋１ａ内に自由に係合され、それにより、組立体を分解することを可能にする。当然ながら、心棒２８を橋に反対に打ち込み、底部平板内で自由にしておくことができる。
【００３８】
図５および７に示されるように、第２の平板２５ａ、２５ｂおよび枢軸柄２６ａ、２６ｂは、２つの平坦部を有する円形の中央開口２９を有し、心棒２８は、心棒２８に関連して平板２５ａ、２５ｂを角度保持し、それにより、それらを前記心棒２８、従って橋１ａおよび底部平板１ｂと一体にするように、中央開口２９に対して相補的な形状を有する、２つの平坦部を有する円筒形切片を有する。平板２５ａ、２５ｂはダイヤモンドから作られる。心棒２８は、塑性変形を有し、心棒２８上の平板２５ａ、２５ｂを摺動しかつ打ち込むことを可能にすることができる材料から作られる。心棒２８は、例えば鋼から作られる。
【００３９】
本発明によれば、枢軸柄２６ａ、２６ｂは、台板２ａ、２ｂが環状の周縁２７ａ、２７ｂ内にそれぞれ係合されるように、台板２ａ、２ｂの穴３ａ、３ｂ内にそれぞれ係合される。そのために、枢軸柄２６ａ、２６ｂの直径は、台板２ａ、２ｂの穴３ａ、３ｂのものよりもそれぞれ小さい。
【００４０】
図６に示されるように、台板２ａは、前記平板から突出する２つの角度扇形の形態にある２つのツマミ３０を含み、穴３ａに対して同心円状に互いに対向して配列される。台板２ｂの穴３ｂは、ツマミ３０の形状と相補的なものを有する２つの切欠き３１を含み、穴３ｂに対して同心円状に互いに対向して配列される。ツマミ３０は切欠き３１内に係合され、台板２ａおよび２ｂを回転して一体にする。
【００４１】
当然ながら、図２に示されるもののような、ツマミ３０に対して相補的な２つのツマミと切欠き３１を置き換えることにより、台板２ａおよび２ｂを回転して一体にすることができる。ツマミを、図３の代替物に用いられるもののような金属環に置き換えることもできる。
【００４２】
図８および９は、図４から７までに示される代替物に近い、本発明の別の代替物を示し、共有される要素は同じ参照記号で示される。
【００４３】
この代替物では、心棒３５ａは、第２の平板２５ａを介しておよび枢軸柄２６ａ内を通過して取り付けられ、心棒３５ａは、橋１ａ上に設けられた対応する筐体内に収容されることになる枢軸柄２６ａに対向する側上に現れる。心棒３５ａは、橋１ａ内のその端を打ち込むかまたは接着することにより橋１ａと一体にされる。同様に、心棒３５ｂは、第２の平板２５ｂを介しておよび枢軸柄２６ｂ内を通過して取り付けられ、心棒３５ｂは、底部平板１ｂ上に設けられた対応する筐体内に収容されることになる枢軸柄２６ｂに対向する側内に現れる。心棒３５ｂは、前記底部平板１ｂ内のその端を打ち込むかまたは接着することにより底部平板１ｂと一体にされる。
【００４４】
枢軸を形成する平板２５ａ、２５ｂは、図７に示されるものと同じである。図９にしめされるように、各心棒３５ａ、３５ｂは、前記平板２５ａ、２５ｂを心棒３５ａ、３５ｂとそれぞれ、従って橋１ａおよび底部平板１ｂとそれぞれ一体にするように、平板２５ａ、２５ｂの中央開口２９に対して相補的な形状を有する、２つの平坦部を有する円筒形切片を有する。さらに、各心棒３５ａ、３５ｂは、枢軸柄２６ａ、２６ｂの寸法と実質的に等しいものを有する、前記心棒３５ａ、３５ｂに対して垂直な平面基部３６ａ、３６ｂを有する。心棒３５ａ、３５ｂは、平板２５ａ、２５ｂの保持をそれぞれ改善するために、枢軸柄２６ａ、２６が心棒３５ａ、３５ｂの基部３６ａ、３６ｂとそれぞれ接触するように、平板２５ａ、２５ｂの開口２９内に係合される。
【００４５】
図８に示される代替物では、平板２ａ、２ｂは、図３の代替物に用いられるもののような金属環３７ａ、３７ｂを用いて回転して一体にされる。
【００４６】
図１０は、図４から７までに示される代替物に近い、本発明の別の代替物を示し、共有される要素は同じ参照記号で示される。
【００４７】
この代替物では、各枢軸は、平面要素および別個の円筒形要素を備える第２の平板４０ａ、４０ｂを用いて形成され、平面要素に対して垂直であり、軸受を形成する台板２ａ、２ｂの穴３ａ、３ｂ内にそれぞれ係合される枢軸柄４１ａ、４１ｂを形成する。
【００４８】
図４から７までに示される代替物でのように、心棒２８は、第２の平板４０ａと４０ｂを介しておよび枢軸柄４１ａと４１ｂ内に設けられ取り付けられ、心棒２８は、橋１ａおよび底部平板１ｂ上にそれぞれ設けられた、対応する筐体内に収容されることになる枢軸柄４１ａ、４１ｂに対向する側上にある、各平板４０ａ、４０ｂから現れる。第２の平板４０ａ、４０ｂおよび枢軸柄４１ａ、４１ｂは、２つの平坦部を有する円形の中央開口を有し、心棒２８は２つの平坦部を有する円筒形切片を有し、心棒２８は、心棒２８に関連して平板４０ａ、４０ｂを角度保持し、それにより、それらを前記心棒２８、従って橋１ａおよび底部平板１ｂと一体にするように、中央開口に対して相補的な形状を有する、２つの平坦部を有する円筒形切片を有する。
【００４９】
参考までにここで提供される異なる例において、要素の全ては、枠および直通心棒を除いてダイヤモンドから作られる。当然ながら、要素をケイ素または別の適切な材料から作ることができ、異なる要素の間の接触面のみが、ダイヤモンド、あるいは、ダイヤモンドの摩擦係数および摩耗率と同等のものを有する、任意の他の材料または複数の材料の混合物で被覆される。
【００５０】
ダイヤモンドは、潤滑する必要さえないように特に低い摩擦係数を有する。従って、ＣＶＤにより容易に製造することができる部品を用いて、転輪、または、ダイヤモンド対ダイヤモンドの摩擦を伴って枢動可能に取り付けられた任意の他の部品の枢動を確実にすることが可能である。
【図１】
2012514191.tif 000003
【図２】
2012514191.tif 000004
【図３】
2012514191.tif 000005
【図４】
2012514191.tif 000006
【図５】
2012514191.tif 000007
【図６】
2012514191.tif 000008
【図７】
2012514191.tif 000009
【図８】
2012514191.tif 000010
【図９】
2012514191.tif 000011
【図１０】
2012514191.tif 000012
【国際調査報告】
2012514191.tif 000013
2012514191.tif 000014
2012514191.tif 000015
2012514191.tif 000016
2012514191.tif 000017
2012514191.tif 000018